(57)【要約】【課題】  読取面周囲の構成変更・メンテナンス・部材の交換を容易に行えるようにすること。【解決手段】  画像読取装置１は、第一の読取面１１及び第二の読取面１２を上部に備える装置本体と、装置本体の上方に開閉可能に設けられた本体カバーと、からなる。第一の読取面と第二の読取面との境界領域には、第一の読取面上において原稿Ｐを正しい位置にセットするための位置決め材１７が設けられている。位置決め材１７は、弓状にされており、弾性を有し、力を加えることで矯正可能な構成にされている。位置決め材１７下面における第一の読取面１１側の端部には、長手方向に沿って突条１７５が設けられている。また位置決め材１７下面には、白基準部材１９が貼付されている。この位置決め材１７は、読取面に対して付勢力を有した状態で、筐体２０に対し着脱自在に固定される。【選択図】  図８
2005203986.tif 000002
【特許請求の範囲】
【請求項１】
撮像素子と、
第一及び第二の読取面を備え、該第一及び第二の読取面下において、前記撮像素子を移動可能に収容する筐体と、
前記第一の読取面下で前記撮像素子を走査させることにより、該第一の読取面上に配置された原稿に形成された画像を読み取る第一の読取手段と、
前記第一の読取面に並設された前記第二の読取面下に前記撮像素子を固定した状態で、原稿搬送装置を制御して原稿を前記第二の読取面上に搬送し、該原稿が第二の読取面を通過する際、前記撮像素子を用いて該原稿に形成された画像を読み取る第二の読取手段と、
前記第一及び第二の読取面の境界領域に設けられ、前記第一の読取面上に配置される原稿の位置決めを行うための位置決め材と、
を備える画像読取装置であって、
前記位置決め材は、前記筐体に対して着脱自在に設けられていることを特徴とする画像読取装置。
【請求項２】
前記位置決め材は、その中央領域が、前記筐体から離脱された状態において前記読取面の境界領域に向かって湾曲する構成にされており、前記読取面の境界領域側に付勢された状態で、前記筐体に装着されることを特徴とする請求項１記載の画像読取装置。
【請求項３】
前記位置決め材の前記読取面の境界領域に対向する下面には、前記撮像素子の走査方向に垂直な方向に沿って、突起が形成されていることを特徴とする請求項１又は請求項２記載の画像読取装置。
【請求項４】
前記突起は、前記走査方向について、対称に一対設けられていることを特徴とする請求項３記載の画像読取装置。
【請求項５】
前記突起は、前記走査方向の両端部に設けられていることを特徴とする請求項３又は請求項４記載の画像読取装置。
【請求項６】
前記位置決め材の前記読取面の境界領域に対向する下面には、原稿の読取結果を補正するために前記撮像素子が読み取る基準面が形成されていることを特徴とする請求項１〜請求項５のいずれかに記載の画像読取装置。
【請求項７】
前記位置決め材の下面には、前記基準面を構成する基準部材が設けられており、
該基準部材は、前記位置決め材に対して着脱可能に構成されていることを特徴とする請求項６記載の画像読取装置。
【請求項８】
前記位置決め材の下面には、前記基準面を構成する基準部材が貼付されていることを特徴とする請求項６記載の画像読取装置。
【発明の詳細な説明】
【技術分野】
【０００１】
本発明は、撮像素子を用いて原稿に形成された画像を光学的に読み取る画像読取装置に関する。
【背景技術】
【０００２】
従来より、画像読取装置としては、読取面（ガラス面）上に配置された原稿に形成された画像を、読取面下に設けられた撮像素子を用いて光学的に読み取り、その読取結果に基づいて、画像データを作成する画像読取装置が知られている。また、この種の画像読取装置としては、読取対象の原稿を読取面まで搬送するための原稿搬送装置（原稿給紙装置（ＡＤＦ）ともいう。）を備えたものが知られている。
【０００３】
また、上記原稿搬送装置を備える画像読取装置としては、第一及び第二の読取面を備えたものが知られている（例えば特許文献１参照）。この種の画像読取装置では、利用者により第一の読取面に載置された原稿を、撮像素子の走査により読み取る。また、原稿搬送装置を用いる場合には、原稿搬送装置の給紙トレイに配置された原稿を第二の読取面上に搬送し、原稿が第二の読取面を通過する際、第二の読取面下に配置された撮像素子を用いて、原稿に形成された画像を読み取る。
【０００４】
一般的に、原稿搬送装置搭載型の画像読取装置では、原稿搬送装置非搭載型の装置と機能的に共通する部分が多いため、製品を生産する場合には、非搭載型の製品と同一の部品を使用することが多い。
【特許文献１】特開２００１−３５８９０７号公報
【発明の開示】
【発明が解決しようとする課題】
【０００５】
しかしながら、この種の画像読取装置では、原稿搬送装置の搭載に伴って、読取面を複数用意しなければならないため、原稿搬送装置非搭載型の製品とは別に、読取面周囲の組立を行わなければならなかった。従って、例えば、特許文献１記載のように設計された画像読取装置を、原稿搬送装置非搭載型の製品に変更するためには、複雑に構成された読取面周囲を分解して、再度組み立てを行わなければならなかった。
【０００６】
即ち、従来では、原稿搬送装置搭載型の製品から原稿搬送装置非搭載型の製品への切り替え、また、その逆の製品への切り替えを容易に行うことができず、製品の在庫管理、部品管理等が難しかった。
【０００７】
その他、従来では、読取面周囲を容易に分解することができないため、その読取面周囲の隙間に侵入した埃等を容易に取り除くことができなかった。読取面周囲には、撮像素子の読取結果を補正するための白基準部材を配置することも多いが、従来では、読取面周囲を容易に分解することができないため、白基準部材の清掃・交換等が難しく、白基準部材が長年の使用により埃等で汚れて装置の性能が劣化するといった問題があった。また、製造途中で白基準部材が汚れてしまい、白基準部材を交換する必要に迫られた場合においても、その白基準部材の交換を容易に行うことができないといった問題があった。
【０００８】
本発明は、こうした問題に鑑みなされたものであり、画像読取装置において、原稿搬送装置搭載型の製品から原稿搬送装置非搭載型の製品への切り替え、また、その逆の製品への切り替えを容易に行うことができるようにすることを第一の目的とする。また、読取面周囲のメンテナンスを容易に行うことができるようにすることを第二の目的とする。その他、白基準部材の交換を簡単に行うことができるようにすることを第三の目的とする。
【課題を解決するための手段】
【０００９】
かかる目的を達成するためになされた請求項１記載の画像読取装置は、撮像素子と、筐体と、第一の読取手段と、第二の読取手段と、位置決め材と、を備える。筐体は、第一の読取面と、第一の読取面に並設された第二の読取面と、を備えており、その第一及び第二の読取面下において、撮像素子を移動可能に収容している。
【００１０】
第一の読取手段は、第一の読取面下で撮像素子を走査させることにより、第一の読取面上に配置された原稿に形成された画像を読み取る。また、第二の読取手段は、第一の読取面に並設された上記第二の読取面下に撮像素子を固定した状態で、原稿搬送装置を制御して、読取対象の原稿を第二の読取面上に搬送し、その原稿が第二の読取面を通過する際に撮像素子を用いて、その原稿に形成された画像を読み取る。
【００１１】
その他、第一の読取面上に配置される原稿の位置決めを行うための位置決め材は、第一及び第二の読取面の境界領域において、上記第一及び第二の読取面を備える筐体に対し、着脱自在に設けられている。
【００１２】
このように構成された請求項１記載の画像読取装置によれば、位置決め材が筐体（読取面等）に対して着脱自在に設けられているため、位置決め材を筐体から取り外して読取面及び位置決め材のメンテナンスを容易に行うことができる。従って、筐体と位置決め材との隙間に、埃等が侵入した場合であっても、埃等の除去を簡単に行うことができる。
【００１３】
また、位置決め材と、第一及び第二の読取面を備える筐体と、が別体で着脱自在に構成されているため、原稿搬送装置を画像読取装置に接続せず、第二の読取面を隠蔽可能な位置決め材を筐体に装着すれば、画像読取装置を、見かけ上、原稿搬送装置非搭載型の画像読取装置に変更することができる。従って、請求項１記載の画像読取装置によれば、原稿搬送装置搭載型の製品から原稿搬送装置非搭載型の製品への切り替え、また、その逆の製品への切り替えを容易に行うことができる。
【００１４】
ところで、請求項１記載の画像読取装置においては、位置決め材と読取面との間に原稿が入り込んでしまう程の大きな隙間が形成されてしまうと、原稿の位置決めをその主たる機能とする位置決め材が、その本来の機能を果せなくなってしまう。そこで、請求項１記載の画像読取装置においては、位置決め材を請求項２記載のように構成するとよい。
【００１５】
請求項２記載の画像読取装置においては、位置決め材が筐体から離脱された状態において、位置決め材の中央領域が読取面の境界領域に向かって湾曲するようにされている。即ち、位置決め材は、なんら拘束がない場合に弓状となるよう形成されている。この位置決め材は、装着時に変形され、読取面側に付勢された状態で、筐体に固定される。
【００１６】
このように構成された請求項２記載の画像読取装置によれば、筐体に装着された位置決め材に、装着時の状態から離脱時の状態に自身の形状を復元しようとする力が働き、位置決め材の中央領域が、装着時において読取面に強く押し当てられる。従って、この画像読取装置によれば、位置決め材と読取面との間に、原稿が入り込むのを防止することができ、位置決め材の機能を十分に発揮させることができる。
【００１７】
その他、上記画像読取装置においては、位置決め材を請求項３記載のように構成して、位置決め材と読取面との間に原稿が入り込むのを防止するとよい。請求項３記載の画像読取装置においては、位置決め材の読取面に対向する下面に、撮像素子の走査方向に垂直な方向に沿って、突起が形成されている。この画像読取装置によれば、読取面に対して平行な面上で撮像素子の走査方向に垂直な方向に沿って形成された突起によって、位置決め材が読取面と強く圧接されるため、読取面と位置決め材との間に、第一の読取面に載置された原稿が入り込んでしまうのを防止することができる。
【００１８】
また、上記位置決め材においては、突起を、上記撮像素子の走査方向について、対称に一対設けるとよい。このように構成された請求項４記載の画像読取装置によれば、位置決め材を筐体に対し安定して固定することができる。例えば、突起を第一の読取面側だけに一つ設けて、上記走査方向について位置決め材を非対称な形状とすると、その走査方向について位置決め材が揺動する可能性があるが、この発明によれば、上記撮像素子の走査方向について対称に、突起が一対設けられているため（換言すると、撮像素子の走査方向とは垂直な位置決め材の軸線を中心として、対称に突起が設けられているため）、その走査方向について位置決め材が揺動するのを防止することができる。
【００１９】
尚具体的に、突起は、上記撮像素子の走査方向の両端部に設けられると良い。このように構成された請求項５記載の撮像素子によれば、撮像素子の走査方向とは垂直な位置決め材の軸線を中心としたその位置決め材の両端部に、突起が対称的に設けられているため、撮像素子の走査方向について位置決め材が揺動するのを確実に防止することができる。
【００２０】
その他、上記画像読取装置においては、位置決め材の下面に、原稿の読取結果を補正するための基準面を形成するのがよい。請求項６記載の画像読取装置では、上記読取面に対向する位置決め材の下面に、原稿の読取結果を補正するために撮像素子が読み取る基準面が形成されている。
【００２１】
このように構成された画像読取装置では、筐体に対して着脱自在に構成された位置決め材の下面に基準面が設けられているので、位置決め材のメンテナンスと共に基準面のメンテナンスを容易に行うことができる。従って、例えば、位置決め材を筐体から取り外し、その読取面周囲と基準面を清掃すれば、基準面に形成された汚れ等によって読取結果の補正が適切に行えなくなるのを防止することができる。また、本発明によれば、位置決め材の交換と共に、基準面の交換を簡単に行うことができる。
【００２２】
尚、基準面は、位置決め材と一体に形成されてもよいし、別体の部材にて形成されてもよい。請求項７記載の画像読取装置においては、位置決め材の下面に、上記基準面を構成する基準部材が、位置決め材に対して着脱可能に設けられている。このように構成された画像読取装置によれば、基準部材の交換・メンテナンスを簡単に行うことができ、基準部材の汚れ等によって、読取結果の補正が適切に行えなくなるのを防止することができる。その他、基準部材は、請求項８記載のように、位置決め材の下面に貼付されるとよい。この発明によれば、簡素な構成で、位置決め材の下面に、基準部材を設けることができる。
【発明を実施するための最良の形態】
【００２３】
以下に本発明の実施例について、図面とともに説明する。尚、図１は、本発明が適用された画像読取装置１の構成を表す外観図であり、図２は、本実施例の画像読取装置１における装置本体３の上部構成を表す平面図である。
【００２４】
本実施例の画像読取装置１は、所謂フラットベッド型のスキャナ装置として構成されており、第一の読取面１１及び第二の読取面１２を上部に備える装置本体３と、装置本体３の上方に開閉可能に設けられた本体カバー５と、からなる。
【００２５】
装置本体３の上面は、図１（ａ）に示すように、本体カバー５が閉じられた状態で、本体カバー５により被覆される。尚、図１（ａ）は、本体カバー５が閉じられた状態での画像読取装置１の構成を表す外観図であり、図１（ｂ）は、本体カバー５が開かれた状態での画像読取装置１の構成を表す外観図である。
【００２６】
装置本体３は、その前方に各種スイッチを備える操作部１５を備えており、利用者が操作部１５を操作することにより、操作部１５から入力される指令に応じた処理を実行する。
【００２７】
図３は、画像読取装置１の長手方向に沿う断面の構成を表す概略断面図であり、図４は、装置本体３における第一の読取面１１及び第二の読取面１２を構成するプラテンガラス１３の固定方法を表した説明図である。尚、図４においては、筐体２０内に収容された電気的装置等の図示を省略する。
【００２８】
本実施例の画像読取装置１を構成する装置本体３は、上記第一の読取面１１及び第二の読取面１２を構成するプラテンガラス１３と、そのプラテンガラス１３を支持する筐体２０と、第一の読取面１１に載置される原稿Ｐの位置決めを行うための位置決め材１７と、白基準部材１９と、イメージセンサ２１と、イメージセンサ２１を走査させるためのモータ２３と、そのモータ２３から得られる動力を用いてイメージセンサ２１を走査させるベルト機構部２５と、を備える。
【００２９】
筐体２０は、上部が開口された概略直方体形状にされており、その筐体２０の開口部には、プラテンガラス１３が装着される。この筐体２０は、プラテンガラス１３を支持するための第一〜第三のガラス支持部２７，２８，２９を備える。
【００３０】
図４（ａ）は、画像読取装置１の長手方向とは垂直な方向（即ち、前後方向）に沿った断面の構成を表す図である。第一のガラス支持部２７は、筐体２０の前方及び後方において、筐体２０の底面から上方に向けて立設されている。この第一のガラス支持部２７は、画像読取装置１の長手方向（即ち、左右方向）に沿って形成されており、プラテンガラス１３の前方端部及び後方端部を下方から支持する構成にされている。
【００３１】
また、第二のガラス支持部２８は、図４（ｂ）に示すように、筐体２０の右端部において、筐体２０の底面から上方に向けて立設されている。尚、図４（ｂ）は、画像読取装置１の長手方向（即ち、左右方向）に沿った断面図である。この第二のガラス支持部２８は、画像読取装置１の前後方向に沿って形成されており、プラテンガラス１３の右端部を下方から支持する。また、第三のガラス支持部２９は、筐体２０の左上端縁において延設されており、プラテンガラス１３の左端を下方から支持する構成にされている。
【００３２】
このように構成された第一〜第三のガラス支持部２７〜２９によって下方から支持されるプラテンガラス１３の後端部及び右端部は、筐体２０の上端縁から筐体２０の底面に概略平行にその中央に向けて延設された枠体部３１により上方から下方に押し付けられ、筐体２０に固定されている。また、プラテンガラス１３の前方左端部は、枠体部３１の前方左端部の縁から延設されたガラス固定部３３により、上方から下方に押し付けられ、筐体２０より剥離しないように固定されている。
【００３３】
尚、プラテンガラス１３の表面は、筐体２０に対して着脱自在に設けられた位置決め材１７によって、第一の読取面１１と、第二の読取面１２とに、分離される。第一の読取面１１は、利用者により載置された原稿Ｐを読み取るための領域であり、当該画像読取装置１の右側領域に設けられている。一方、第二の読取面１２は、本体カバー５に設けられた原稿搬送装置４０により搬送されてきた原稿Ｐを読み取るための領域であり、当該画像読取装置１の左側領域に設けられている。
【００３４】
また、イメージセンサ２１は、筐体２０内部の第一及び第二の読取面１１，１２下（換言すると、プラテンガラス１３下）において、左右方向に移動可能に収容されている。このイメージセンサ２１は、イメージセンサ２１内部に収容された発光部（図示せず）から、プラテンガラス１３上に載置された原稿Ｐに光を当て、その反射光を図示しない光電変換素子にて受光し、読取結果としての画像信号を生成する。尚、このイメージセンサ２１は、プラテンガラス１３の前後方向の長さと同程度の長さの受光面を備え、原稿Ｐをライン毎に読み取る周知のラインセンサとして構成されている。
【００３５】
このイメージセンサ２１は、ベルト機構部２５が備える一対のローラ２５ａに巻回されたベルト２５ｂに固定されており、モータ２３より発生する動力により回転するベルト２５ｂと共に、画像読取装置１の左右方向に移動する。
【００３６】
尚、図３（ａ）は、本体カバー５に設けられた原稿搬送装置４０を用いて、読取対象の原稿Ｐを第二の読取面１２上に搬送しながら、その原稿Ｐを読み取る際のイメージセンサ２１の固定位置を表した説明図であり、図３（ｂ）は、第一の読取面１１上に載置された原稿Ｐを読み取る際のイメージセンサ２１の走査態様を示した説明図である。
【００３７】
本体カバー５に設けられた原稿搬送装置４０の動作によって、第二の読取面１２上に搬送されてきた原稿Ｐを読み取る際、イメージセンサ２１は、第二の読取面１２下に移動されて、固定される。また、第一の読取面１１上の原稿Ｐを読み取る際、イメージセンサ２１は、モータ２３及びベルト機構部２５の動作により、第一の読取面１１下で、左右方向に走査される。
【００３８】
本体カバー５は、上述したように原稿搬送装置４０を具備しており、給紙トレイ４１に載置された原稿Ｐを、第二の読取面１２上に搬送し、その第二の読取面１２上でイメージセンサ２１により読み取られた原稿Ｐを排紙トレイ４２に排出する。
【００３９】
原稿搬送装置４０は、搬送路の始点に、給紙ローラ４４，４５を備えており、給紙ローラ４４，４５を原稿Ｐに押し当てながら回転させることにより、給紙トレイ４１に載置された原稿Ｐを、搬送路下流に搬送する。給紙ローラ４４，４５より搬送路下流側には、一対の搬送ローラ４７，４８が設けられており、搬送路上流から搬送されてきた原稿Ｐは、搬送ローラ４７，４８により挟持される。そして、この原稿Ｐは、搬送ローラ４７，４８の回転と共に、搬送路下流に搬送される。
【００４０】
搬送ローラ４７，４８より搬送路下流側には、第二の読取面１２と所定の空隙を有した状態で、その第二の読取面１２に対向する上板４９が設けられており、搬送ローラ４７，４８より搬送されてきた原稿Ｐは、この上板４９と第二の読取面１２との間を通過して、それより更に搬送路下流に設けられた一対の搬送ローラ５１，５２に供給される。
【００４１】
第二の読取面１２より搬送路下流側に設けられた一対の搬送ローラ５１，５２は、上流より供給される原稿Ｐを挟持し、それを自身の回転と共に、搬送路下流側に設けられた一対の排紙ローラ５３，５４に送り出す。排紙ローラ５３，５４は、搬送ローラ５１，５２より原稿Ｐを受け取ると、それを挟持し、回転動作によって排紙トレイ４２に排紙する。
【００４２】
尚、この原稿搬送装置４０の制御は、装置本体３に内蔵された読取制御部１０７により行われる。図５は、画像読取装置１の電気的構成を表すブロック図である。図５に示すように、本実施例の画像読取装置１は、ＣＰＵ１０１、ＲＯＭ１０２、ＲＡＭ１０３、インタフェース１０５、操作部１５、画像データの補正を行う補正部１０８を内蔵する読取制御部１０７等を備え、ＣＰＵ１０１にて、これら装置各部を統括制御する。
【００４３】
具体的に、ＣＰＵ１０１は、操作部１５を利用者が操作することにより、その操作部１５から原稿読取指令が入力されると、図６（ａ）に示す読取制御処理を実行する。読取制御処理を実行すると、ＣＰＵ１０１は、図示しない原稿検知センサの出力信号に基づいて、原稿搬送装置４０の給紙トレイ４１に原稿Ｐが載置されているか否か判断する（Ｓ１１０）。そして、原稿Ｐが給紙トレイ４１に載置されていると判断すると（Ｓ１１０でＹｅｓ）、読取制御部１０７に対して、イメージセンサ２１を第二の読取面１２下に移動させるための指令を出力する（Ｓ１２０）。
【００４４】
この指令により読取制御部１０７は、モータ２３を制御しイメージセンサ２１を第二の読取面１２下に移動させて、その第二の読取面１２下にイメージセンサ２１を固定する。
その後、ＣＰＵ１０１は、読取制御部１０７に原稿搬送装置４０を制御させて、給紙トレイ４１に載置された原稿Ｐを一枚、第二の読取面１２上に搬送させる。また、その原稿Ｐが第二の読取面１２上を通過する際、イメージセンサ２１に、その原稿Ｐに形成された画像を読み取らせる（Ｓ１３０）。
【００４５】
イメージセンサ２１から出力される画像信号は、読取制御部１０７が備える内部回路によってディジタル化される。またディジタル化された画像信号（以下、画像データと記す。）に対しては、補正部１０８にて、後述する基準データに基づく周知のシェーディング補正等がなされる。また、補正後の画像データは、一旦ＲＡＭ１０３に格納され、ＣＰＵ１０１の動作により、インタフェース１０５を介して、外部のパーソナルコンピュータや画像形成装置に提供される。
【００４６】
このような画像の読取処理（Ｓ１３０）が終了すると、ＣＰＵ１０１は、給紙トレイ４１に載置されている原稿Ｐが存在するか否か再び判断し（Ｓ１４０）、存在すると判断すると（Ｓ１４０でＹｅｓ）、処理をＳ１３０に戻して上述の読取処理を実行し、その原稿Ｐに形成された画像を読み取って、その画像データを、インタフェース１０５を介して外部のパーソナルコンピュータや画像形成装置に提供する。一方、Ｓ１４０にて給紙トレイ４１に載置されている原稿Ｐが存在しないと判断すると（Ｓ１４０でＮｏ）、ＣＰＵ１０１は、当該読取制御処理を終了する。
【００４７】
また、ＣＰＵ１０１は、Ｓ１１０において、原稿搬送装置４０の給紙トレイ４１に原稿Ｐが載置されていないと判断すると（Ｓ１１０でＮｏ）、読取制御部１０７に対して、イメージセンサ２１を、第一の読取面１１と位置決め材１７との境界地点である走査開始地点まで移動させるための指令を出力する（Ｓ１５０）。この指令により読取制御部１０７は、モータ２３を制御し、イメージセンサ２１を第一の読取面１１下にある走査開始地点まで移動させる。
【００４８】
その後、ＣＰＵ１０１は、読取制御部１０７に、モータ２３を制御させて、イメージセンサ２１を第一の読取面１１下で右方向に走査させ、それと同時に、イメージセンサ２１に、第一の読取面１１上に載置された原稿Ｐの読取を行わせる。即ち、ＣＰＵ１０１は、イメージセンサ２１を移動させながら、イメージセンサ２１に第一の読取面１１上に載置された原稿Ｐの読取を行わせる（Ｓ１６０）。
【００４９】
このＳ１６０での読取処理によって、イメージセンサ２１から出力される原稿Ｐの画像信号は、読取制御部１０７が備える内部回路によってディジタル化され、その画像データに対しては、補正部１０８にて、後述する基準データに基づく周知のシェーディング補正等がなされる。また、補正後の画像データは、一旦ＲＡＭ１０３に格納され、ＣＰＵ１０１の動作により、インタフェース１０５を介して、外部のパーソナルコンピュータや画像形成装置に提供される。
【００５０】
このようにしてＳ１６０での読取処理を終了すると、当該ＣＰＵ１０１は、図６（ａ）に示す読取制御処理を終了する。尚、補正部１０８で用いられる基準データは、ＣＰＵ１０１が繰り返し実行する白基準読取処理によって生成・更新される。図６（ｂ）は、ＣＰＵ１０１が実行する白基準読取処理を表すフローチャートである。
【００５１】
白基準読取処理において、ＣＰＵ１０１は、操作部１５より原稿読取指令が入力されたと判断すると（Ｓ２１０でＹｅｓ）、上述したＳ１２０，Ｓ１５０の処理実行前に、以下に説明するＳ２２０〜Ｓ２４０の処理を実行する。
【００５２】
処理をＳ２２０に移すと、ＣＰＵ１０１は、読取制御部１０７に対して、イメージセンサ２１を白基準部材１９下方に配置するように指令を出力する。これにより読取制御部１０７は、モータ２３を制御して、イメージセンサ２１を、白基準部材１９下方まで移動させる。その後、ＣＰＵ１０１は、イメージセンサ２１に白基準部材１９を読み取らせ、その読取結果を、読取制御部１０７を介して取得する。
【００５３】
この後、ＣＰＵ１０１は、Ｓ２３０に処理を移して、読取結果に基づき、原稿Ｐの読取結果を補正部１０８で補正するための基準データを生成する。この基準データは、補正部１０８にて周知のシェーディング補正等を行うためのデータである。ＣＰＵ１０１は、このＳ２３０で生成した基準データをＲＡＭ１０３に格納して、補正部１０８がシェーディング補正時に、基準データをＲＡＭ１０３から読み出せる状態にし（Ｓ２４０）、その後、当該白基準読取処理を終了する。
【００５４】
ところで、本実施例の画像読取装置１における白基準部材１９は、図７に示すように、筐体２０に対して着脱自在に構成された位置決め材１７の下面に貼付されている。尚、図７（ａ）は、位置決め材１７から白基準部材１９が分離された状態での位置決め材１７及び白基準部材１９の構成を表す斜視図であり、図７（ｂ）は、位置決め材１７に白基準部材１９が装着された状態での位置決め材１７の構成を表す斜視図である。
【００５５】
また、図８（ａ）は、位置決め材１７が筐体２０から離脱された状態における位置決め材１７の長手方向（前後方向）に沿った側面の構成を表す図であり、図８（ｂ）は、位置決め材１７が筐体２０から離脱された状態における位置決め材１７の下面の構成を表す平面図である。
【００５６】
その他、図８（ｃ）は、位置決め材１７が筐体２０に装着された状態における位置決め材１７の長手方向（前後方向）に沿った断面の構成を表す図であり、図８（ｄ）は、位置決め材１７が筐体２０に装着された状態における位置決め材１７の長手方向とは垂直な方向（即ち、イメージセンサ２１の走査方向である画像読取装置１の左右方向）の断面の構成を表す図である。また、図９は、位置決め材１７と筐体２０との接続態様を示す説明図である。
【００５７】
本実施例の位置決め材１７は、第一の読取面１１上に原稿Ｐを載置する際に、画像読取装置１左右方向について、その原稿Ｐを正しい位置にセットするためのものである。原稿Ｐの左端は、位置決め材１７の右縁に当接されて、位置決めされる（図８（ｄ）参照）。この位置決め材１７は、長方形状の薄板として構成されており、長手方向の中央部がプラテンガラス１３に向かって湾曲した弓形状にされている。また、この位置決め材１７は、弾性を有し、力を加えることで矯正可能な構成にされている。
【００５８】
位置決め材１７の長手方向の両端部側面には、筐体２０に形成された接続孔２０ａに嵌合される突状の接続突部１７１が設けられており、位置決め材１７のプラテンガラス１３に対向する下面には、白基準部材１９に設けられた一対の孔部１９ａの夫々に嵌合する突状の嵌合突部１７３が、白基準部材１９の孔部１９ａに対応する位置に設けられている。
【００５９】
また、位置決め材１７下面の第一の読取面１１側の端部には、長手方向（即ち、イメージセンサ２１の走査方向とは垂直な前後方向）に沿って、突条１７５が設けられている。この位置決め材１７の下面には、嵌合突部１７３に上述した白基準部材１９の孔部１９ａが嵌挿され、白基準部材１９が貼付される。この際、白基準部材１９は、位置決め材１７下面の突条１７５より左側領域において、位置決め材１７に着脱自在に固定され、その一部が位置決め材１７の左端部より張り出された状態にされる。
【００６０】
また、白基準部材１９が下面に貼付された位置決め材１７は、接続突部１７１が上記筐体２０の接続孔２０ａに嵌合された状態で、直線形状に矯正され、筐体２０に着脱自在に固定される。また、矯正された結果、筐体２０に固定された位置決め材１７は、プラテンガラス１３表面に向かって付勢力を有した状態にされる。尚、接続孔２０ａは、筐体２０の左前端部より延設されたガラス固定部３３（図２参照）の後方側面、及び、その地点から延びる走査方向とは垂直な線上であって、画像読取装置１後方に設けられたプラテンガラス１３を上方から被覆する枠体部３１の側面に設けられている。
【００６１】
以上、本実施例の画像読取装置１について説明したが、この画像読取装置１によれば、位置決め材１７が筐体２０及びその筐体２０の読取面１１，１２を構成するプラテンガラス１３に対して着脱自在に設けられているため、利用者は、位置決め材１７を筐体２０から取り外すことで、容易に位置決め材１７及び読取面１１，１２周囲をメンテナンスすることができる。従って、この画像読取装置１によれば、プラテンガラス１３と位置決め材１７との隙間に、埃等が侵入した場合であっても、その埃を容易に除去することができる。
【００６２】
特に、本実施例の画像読取装置１においては、位置決め材１７の下面に、白基準部材１９が設けられているので、埃等で白基準部材１９及びその周囲が汚れてしまった場合であっても、白基準部材１９を容易に清掃することができる。従って、この画像読取装置１によれば、白基準部材１９に付着した汚れが原因で、不適切な基準データが作成されるのを防止することができ、白基準部材１９の汚れ等によって読取結果の補正が適切に行えなくなるのを防止することができる。また、本実施例によれば、位置決め材１７及び白基準部材１９を、筐体２０から容易に分離することができるので、位置決め材１７及び白基準部材１９の交換を簡単に行うことができる。
【００６３】
その他、本実施例によれば、位置決め材１７を筐体２０から容易に分離することができるので、装置本体３に取り付ける位置決め材１７の種類を変更するだけで、その装置本体３を、容易に原稿搬送装置４０搭載型の製品や、原稿搬送装置４０非搭載型の製品に流用することができる。例えば、図７に示した位置決め材１７の左右方向の幅を大きくし、第二の読取面１２を被覆する構成とすれば、装置本体３を、原稿搬送装置４０非搭載型の画像読取装置１に流用することができる。
【００６４】
また、本実施例によれば、筐体２０から離脱した状態において中央領域がプラテンガラス１３（読取面１１，１２）に向かって湾曲するよう位置決め材１７を構成し、その位置決め材１７を、プラテンガラス１３（読取面１１，１２）側に付勢力を有した状態で筐体２０に固定するようにしたので、位置決め材１７の中央領域をプラテンガラス１３に強く押し当てることができ、読取面１１，１２の境界領域に位置する位置決め材１７とプラテンガラス１３との間に、原稿Ｐが入り込むのを防止することができる。
【００６５】
特に、本実施例の画像読取装置１においては、位置決め材１７の下面における第一の読取面１１側の端部に、イメージセンサ２１の走査方向（左右方向）に垂直な方向に沿った突条１７５を形成し、これをプラテンガラス１３に強く押し当てるようにしたので、プラテンガラス１３と位置決め材１７との間に、第一の読取面１１に載置された原稿Ｐが入り込んでしまうのを確実に防止することができる。
【００６６】
尚、上記位置決め材１７においては、突条１７５を第一の読取面１１側にのみ設けたが、突条１７５を、位置決め材１７の下面において左右対称に（即ち、イメージセンサ２１の走査方向について対称に）、一対設けてもよい。
【００６７】
図１０（ａ）は、このように構成された第一変形例の位置決め材６１下面の構成を表す平面図であり、図１０（ｂ）は、第一変形例の位置決め材６１の左右方向に沿う断面の構成を表す説明図である。この第一変形例の位置決め材６１は、位置決め材１７と同様に、長方形状の薄板として構成され、長手方向の中央部がプラテンガラス１３に向かって湾曲した弓形状にされている。
【００６８】
また、この位置決め材６１は、弾性を有し、力を加えることで矯正可能な構成にされ、位置決め材１７と同様、長手方向の両端部側面に、筐体２０に形成された接続孔２０ａに嵌合される突状の接続突部１７１を備える。その他、位置決め材６１は、イメージセンサ２１の読取結果を補正するための白基準部材６３に設けられた孔部６３ａに嵌合される突状の嵌合突部６１ａを、その白基準部材６３の孔部６３ａに対応する位置に備える。
【００６９】
また、位置決め材６１下面の第一の読取面１１側の端部及び第二の読取面１２側の端部には、位置決め材６１の長手方向（即ち、イメージセンサの走査方向とは垂直な方向）に沿って、突条６１ｂが左右対称に（即ち、イメージセンサ２１の走査方向である左右方向について対称に）設けられている。この位置決め材６１の下面には、嵌合突部６１ａに上述した白基準部材６３の孔部６３ａが嵌挿され、白基準部材６３が貼付される。この際、白基準部材６３は、上記位置決め材６１下面の一対の突条６１ｂより位置決め材６１の左右方向の中央部において、位置決め材６１に貼付された状態にされる。
【００７０】
また、白基準部材６３が貼付された位置決め材６１は、接続突部１７１が上記筐体の接続孔２０ａに嵌合されて、直線状に矯正され、プラテンガラス１３表面に付勢力を有した状態にされて、筐体２０に固定される。
【００７１】
このように左右対称に突条６１ｂを設けて位置決め材６１を構成すれば、位置決め材６１を筐体２０に対し安定して固定することができ、左右方向について位置決め材６１が揺動するのを防止することができる。尚、位置決め材１７及び位置決め材６１においては、突条６１ｂ，１７５の代わりに、位置決め材の長手方向に沿って、突起を複数個並べるようにしても良い。
【００７２】
図１１は、第二変形例の位置決め材６１’下面の構成を表す平面図である。第二変形例の位置決め材６１’においては、突条６１ｂの代わりに、突起６１ｃが位置決め材６１’の長手方向に沿って、左右対称に（即ち、長手方向に沿う位置決め材６１’の軸線を中心として軸対称に）複数設けられている。このように構成された位置決め材６１’によれば、位置決め材６１’にかかる材料費を抑えることができる。
【００７３】
ところで、上記実施例においては、接続突部１７１を接続孔２０ａに嵌挿することで、位置決め材１７，６１，６１’を筐体２０に対して着脱自在に装着するようにしたが、図１２に示すように、位置決め材を、螺子７７にて筐体２０に固定する構成としてもよい。
【００７４】
図１２は、第三変形例の位置決め材７１の構成を表す説明図である。第三変形例の画像読取装置では、上記接続孔２０ａの代わりに、筐体２０’の上記接続孔２０ａに対応する位置に螺子孔２０ｂが設けられている。また、位置決め材７１には、その長手方向の両端部に、筐体２０’の上部に重なる固定部７３が設けられている。固定部７３の中央には、螺子孔２０ｂに連通する孔部７５が設けられており、位置決め材７１は、孔部７５に螺子７７が挿入され、その螺子７７が螺子孔２０ｂに螺合されることにより、筐体２０’に固定される。この第三変形例の画像読取装置によれば、位置決め材７１を筐体２０’に螺子止めするため、確実に位置決め材７１を筐体２０’に固定することができる。
【００７５】
以上、本実施例の画像読取装置１について説明したが、本発明の撮像素子は、イメージセンサ２１に対応する。また、第一の読取手段は、ＣＰＵ１０１が実行するＳ１６０での処理にて実現されており、第二の読取手段は、ＣＰＵ１０１が実行するＳ１３０での処理にて実現されている。その他、本発明の位置決め材が下面に備える突起は、本実施例の位置決め材１７，６１，６１’，７１が下面に備える突条１７５，６１ｂ又は突起６１ｃに相当し、撮像素子が読み取る基準面は、白基準部材１９，６３のプラテンガラス１３に対向する下面に相当する。
【００７６】
また、本発明の画像読取装置は、上記実施例に限定されるものではなく、種々の態様を採ることができる。例えば、上記実施例では、位置決め材１７，６１，６１’，７１と白基準部材１９，６３を別部材で構成したが、位置決め材１７，６１，６１’，７１を白色の材料（例えば、白色のプラスチック材）で構成して、位置決め材に白基準部材としての機能を持たせても良い。勿論、その場合には、位置決め材１７，６１，６１’，７１の下面が基準面として機能するため、白基準部材１９，６３を貼付するための嵌合突部１７３，６１ａを位置決め材１７，６１，６１’，７１に設ける必要はない。
【図面の簡単な説明】
【００７７】
【図１】本実施例の画像読取装置１の構成を表す外観図である。
【図２】画像読取装置１における装置本体３の上部構成を表す平面図である。
【図３】画像読取装置１の長手方向に沿う断面の構成を表す概略断面図である。
【図４】装置本体３における第一及び第二の読取面１１，１２を構成するプラテンガラス１３の固定方法を示した説明図である。
【図５】画像読取装置１の電気的構成を表すブロック図である。
【図６】ＣＰＵ１０１が実行する読取制御処理を表すフローチャート（ａ）及び白基準読取処理を表すフローチャート（ｂ）である。
【図７】白基準部材１９が分離された状態（ａ）及び白基準部材１９が装着された状態（ｂ）での位置決め材１７の構成を表す斜視図である。
【図８】位置決め材１７の構成に関する説明図である。
【図９】位置決め材１７と筐体２０との接続態様を示した斜視図である。
【図１０】第一変形例の位置決め材６１の構成を表す説明図である。
【図１１】第二変形例の位置決め材６１’の構成を表す説明図である。
【図１２】第三変形例の位置決め材７１の構成を表す説明図である。
【符号の説明】
【００７８】
１…画像読取装置、３…装置本体、５…本体カバー、１１，１２…読取面、１３…プラテンガラス、１５…操作部、１７，６１，６１’，７１…位置決め材、１９，６３…白基準部材、１９ａ，６３ａ，７５…孔部、２０，２０’…筐体、２０ａ…接続孔、２０ｂ…螺子孔、２１…イメージセンサ、２３…モータ、２５…ベルト機構部、２５ａ…ローラ、２５ｂ…ベルト、２７〜２９…ガラス支持部、３１…枠体部、３３…ガラス固定部、４０…原稿搬送装置、４１，４２…トレイ、４４，４５…給紙ローラ、４７，４８，５１，５２…搬送ローラ、４９…上板、５３，５４…排紙ローラ、６１ａ，１７３…嵌合突部、６１ｂ，１７５…突条、６１ｃ…突起、７３…固定部、７７…螺子、１０１…ＣＰＵ、１０２…ＲＯＭ、１０３…ＲＡＭ、１０５…インタフェース、１０７…読取制御部、１０８…補正部、１７１…接続突部
【図１】
2005203986.tif 000003
【図２】
2005203986.tif 000004
【図３】
2005203986.tif 000005
【図４】
2005203986.tif 000006
【図５】
2005203986.tif 000007
【図６】
2005203986.tif 000008
【図７】
2005203986.tif 000009
【図８】
2005203986.tif 000010
【図９】
2005203986.tif 000011
【図１０】
2005203986.tif 000012
【図１１】
2005203986.tif 000013
【図１２】
2005203986.tif 000014